(57)【要約】【課題】会議出席者間で合意された内容について議事録を作成する議事録生成装置、議事録生成方法、議事録生成プログラムおよび通信会議システムを提供する。【解決手段】本発明に係る議事録生成装置は、会議出席者の発言データを取得する発言データ取得部と、前記発言データに対して前記会議出席者が選択入力したそれぞれの議事レベルを取得する議事レベル取得部と、前記会議出席者が設定した総合的な議事レベルの判定条件を取得する判定条件取得部と、前記発言データに対する前記それぞれの議事レベルに基づいて、前記判定条件により前記発言データに対する総合的な議事レベルを判定する総合議事レベル判定部と、前記総合議事レベル判定部で判定した総合的な議事レベルに基づいて、前記発言データを議事録に記載するか否かを決定して議事録を生成する議事録生成部と、を備える。【選択図】図７
2015015632.tif 000002
【特許請求の範囲】
【請求項１】
会議出席者の発言データを取得する発言データ取得部と、
前記発言データに対して前記会議出席者が選択入力したそれぞれの議事レベルを取得する議事レベル取得部と、
前記会議出席者が設定した総合的な議事レベルの判定条件を取得する判定条件取得部と、
前記発言データに対する前記それぞれの議事レベルに基づいて、前記判定条件により前記発言データに対する総合的な議事レベルを判定する総合議事レベル判定部と、
前記総合議事レベル判定部で判定した総合的な議事レベルに基づいて、前記発言データを議事録に記載するか否かを決定して議事録を生成する議事録生成部と、
を備えることを特徴とする議事録生成装置。
【請求項２】
前記判定条件は、１つの発言データに対して各会議出席者が選択入力したそれぞれの議事レベルを平均して、議事レベルの平均値が、ある閾値を超える場合は総合的な議事レベルを高レベルとし、前記平均値が、第１の閾値の範囲の場合は総合的な議事レベルを中レベルとし、前記平均値が、第２の閾値の範囲の場合は総合的な議事レベルを低レベルとし、前記平均値が、ある閾値以下の場合は総合的な議事レベルを削除とすることを特徴とする請求項１に記載の議事録生成装置。
【請求項３】
前記判定条件は、１つの発言データに対して各会議出席者が選択入力したそれぞれの議事レベルに基づき、議事レベルの種別毎に選択された議事レベルの数を求め、最も選択された数が多い議事レベルを総合的な議事レベルとすることを特徴とする請求項１に記載の議事録生成装置。
【請求項４】
前記判定条件は、各会議出席者に予め割り当てられた重み付けと、１つの発言データに対して各会議出席者が選択入力したそれぞれの議事レベルとに基づき、議事レベルの種別毎に選択された議事レベルの数を求め、最も選択された数が多い議事レベルを総合的な議事レベルとすることを特徴とする請求項１に記載の議事録生成装置。
【請求項５】
前記判定条件は、発言データに対して発言者が選択入力した議事レベルが最高レベルまたは最低レベルである場合には、発言者が選択入力した議事レベルを総合的な議事レベルとすることを特徴とする請求項１に記載の議事録生成装置。
【請求項６】
前記議事録生成部は、前記総合議事レベル判定部で判定した総合的な議事レベルに基づいて、前記発言データを議事録に記載する様式を決定することを特徴とする請求項１に記載の議事録生成装置。
【請求項７】
前記様式は、総合的な議事レベル毎に前記発言データを議事録の主要項目、または前記主要項目の下位の項目とすることを特徴とする請求項６に記載の議事録生成装置。
【請求項８】
前記様式は、総合的な議事レベル毎に前記発言データの文字の体裁を変えることを特徴とする請求項６に記載の議事録生成装置。
【請求項９】
前記発言データに対応した発言者情報を取得する発言者情報取得部と、
前記会議出席者により入力された議事基本情報を取得する議事基本情報取得部と、
前記議事録生成部が生成した議事録を記憶する記憶部と、
前記議事録生成部が生成した議事録をデータとして出力する議事録データ出力部と、
を備えることを特徴とする請求項１に記載の議事録生成装置。
【請求項１０】
会議出席者の発言データを取得する発言データ取得ステップと、
前記発言データに対して前記会議出席者が選択入力したそれぞれの議事レベルを取得する議事レベル取得ステップと、
前記会議出席者が設定した総合的な議事レベルの判定条件を取得する判定条件取得ステップと、
前記発言データに対する前記それぞれの議事レベルに基づいて、前記判定条件により前記発言データに対する総合的な議事レベルを判定する総合議事レベル判定ステップと、
前記総合議事レベル判定ステップで判定した総合的な議事レベルに基づいて、前記発言データを議事録に記載するか否かを決定して議事録を生成する議事録生成ステップと、
を有することを特徴とする議事録生成方法。
【請求項１１】
議事録生成装置に、
会議出席者の発言データを取得する発言データ取得ステップと、
前記発言データに対して前記会議出席者が選択入力したそれぞれの議事レベルを取得する議事レベル取得ステップと、
前記会議出席者が設定した総合的な議事レベルの判定条件を取得する判定条件取得ステップと、
前記発言データに対する前記それぞれの議事レベルに基づいて、前記判定条件により前記発言データに対する総合的な議事レベルを判定する総合議事レベル判定ステップと、
前記総合議事レベル判定ステップで判定した総合的な議事レベルに基づいて、前記発言データを議事録に記載するか否かを決定して議事録を生成する議事録生成ステップと、
を実行させるための議事録生成プログラム。
【請求項１２】
データの送受信を行う複数の通信会議端末装置と、前記通信会議端末装置とネットワークを介して接続される議事録生成装置と、前記ネットワークを介して前記複数の通信会議端末装置間のデータを中継する多地点接続装置と、を備えた通信会議システムであって、
前記通信会議端末装置は、
会議出席者が発言した音声データを取得するマイクと、
前記音声データを出力するスピーカと、
前記会議出席者の映像データを取得するカメラと、
前記音声データを文字情報に変換して発言データとし、前記発言データ、前記発言データに対応した発言者情報、前記映像データおよび前記音声データを多地点接続装置に送信する通信会議装置と、
前記多地点接続装置から受信した合成映像データを表示するディスプレイと、を備え、
前記議事録生成装置は、
会議出席者の発言データを取得する発言データ取得部と、
前記発言データに対して前記会議出席者が選択入力したそれぞれの議事レベルを取得する議事レベル取得部と、
前記会議出席者が設定した総合的な議事レベルの判定条件を取得する判定条件取得部と、
前記発言データに対する前記それぞれの議事レベルに基づいて、前記判定条件により前記発言データに対する総合的な議事レベルを判定する総合議事レベル判定部と、
前記総合議事レベル判定部で判定した総合的な議事レベルに基づいて、前記発言データを議事録に記載するか否かを決定して議事録を生成する議事録生成部と、を備え、
前記多地点接続装置は、
各通信会議端末装置から受信した前記発言データ、前記発言者情報、前記映像データおよび予め取得した議事基本情報を合成処理した合成映像データと、前記音声データを合成処理した合成音声データとを前記通信会議端末装置に送信する情報処理部と、
を備えることを特徴とする通信会議システム。
【請求項１３】
会議出席者が選択入力した前記それぞれの議事レベルおよび前記総合議事レベル判定部で判定した前記発言データに対する総合的な議事レベルを前記通信会議端末装置のディスプレイに表示することを特徴とする請求項１２に記載の通信会議システム。
【発明の詳細な説明】
【技術分野】
【０００１】
本発明は、議事録生成装置、議事録生成方法、議事録生成プログラムおよび通信会議システムに関する。
【背景技術】
【０００２】
近年、地理的に離れた拠点間でリアルタイムに会議を行うことができる通信会議システムが益々普及している。通信会議システムには、主に、音声のみを通信して会議する音声会議システムと、音声と映像を通信して会議するテレビ会議システムとがある。会議出席者は、通信会議システムを利用することによって会議場所への移動時間や出張交通費などを削減できる利点がある。
【０００３】
通信会議システムでは、発言された音声データを文字データに変換すると共に発言した人物を特定して発言内容の文字データを発言者情報と共にモニタに表示し、発言内容の全てまたは重要な一部を議事録データとして保存する技術が知られている。
【０００４】
特に、通信会議システムにおいて議事録を作成する方法として、音声認識技術により人手を介することなく議事録を作成する技術や、議事録作成担当者が文字データから議事録に残したい重要な内容を選択して議事録を作成する技術が開示されている。
【０００５】
例えば、特許文献１には、通信会議中に聞き逃した発言内容とその発言者を知ることができ、議事録に残す発言を選択することによって重要な内容のみを議事録データに残すことができる通信会議装置が記載されている。特許文献１に記載の通信会議装置は、音声−文字データ変換手段と、文字データ表示手段と、議事録採用処理を行うマーキング遡り手段とを有するものである。
【発明の概要】
【発明が解決しようとする課題】
【０００６】
しかしながら、従来の音声認識技術により人手を介することなく議事録を作成する方法は、特に、会議が数時間にもおよんだ場合、作成した議事録のデータ量が多くなり、会議の要点が分かりにくいという問題があった。
【０００７】
また、特許文献１に記載の議事録作成担当者が文字データから議事録に残したい重要な内容を選択して議事録を作成する方法では、議事録作成担当者の裁量によって議事録が作成されてしまうという問題があった。すなわち、会議出席者間で合意に達していない内容が議決事項として議事録に記録されたり、重要な議決事項が単なる討議発言と扱われ議事録に記録されなかったりするという問題があった。
【０００８】
本発明は、上記に鑑みてなされたものであって、会議出席者間で合意された内容について議事録を作成する議事録生成装置、議事録生成方法、議事録生成プログラムおよび通信会議システムを提供することを目的とする。
【課題を解決するための手段】
【０００９】
上述した課題を解決し、目的を達成するために、本発明に係る議事録生成装置は、会議出席者の発言データを取得する発言データ取得部と、前記発言データに対して前記会議出席者が選択入力したそれぞれの議事レベルを取得する議事レベル取得部と、前記会議出席者が設定した総合的な議事レベルの判定条件を取得する判定条件取得部と、前記発言データに対する前記それぞれの議事レベルに基づいて、前記判定条件により前記発言データに対する総合的な議事レベルを判定する総合議事レベル判定部と、前記総合議事レベル判定部で判定した総合的な議事レベルに基づいて、前記発言データを議事録に記載するか否かを決定して議事録を生成する議事録生成部と、を備えることを特徴とする。
【発明の効果】
【００１０】
本発明によれば、会議出席者間で合意された内容について議事録を作成することができる、という有利な効果を奏する。
【図面の簡単な説明】
【００１１】
【図１】図１は、本実施の形態に係る通信会議システムの構成例を示す図である。
【図２】図２は、本実施の形態に係る通信会議端末装置のハードウエア構成例を示す図である。
【図３】図３は、本実施の形態に係る通信会議装置の機能的構成を示すブロック図である。
【図４】図４は、本実施の形態に係る通信会議端末装置のディスプレイ表示映像の一例を示す図である。
【図５】図５は、本実施の形態に係る通信会議端末装置のディスプレイ表示映像の一例を示す図である。
【図６】図６は、本実施の形態に係る議事録生成装置のハードウエア構成例を示す図である。
【図７】図７は、本実施の形態に係る議事録生成装置の機能的構成を示すブロック図である。
【図８】図８は、判定条件に基づいた総合的な議事レベルの判定方法の一例を説明する図である。
【図９】図９は、判定条件に基づいた総合的な議事レベルの判定方法の一例を説明する図である。
【図１０】図１０は、判定条件に基づいた総合的な議事レベルの判定方法の一例を説明する図である。
【図１１】図１１は、判定条件に基づいた総合的な議事レベルの判定方法の一例を説明する図である。
【図１２】図１２は、判定条件に基づいた総合的な議事レベルの判定方法の一例を説明する図である。
【図１３】図１３は、判定条件に基づいた総合的な議事レベルの判定方法の一例を説明する図である。
【図１４】図１４は、本実施の形態に係る議事録生成装置が生成した議事録の記載様式の一例を示す図である。
【図１５】図１５は、本実施の形態に係る多地点接続装置の機能的構成を示すブロック図である。
【図１６】図１６は、本実施の形態に係る通信会議システムにおける議事録生成の処理手順の一例を示すフローチャートである。
【図１７】図１７は、本実施の形態に係る通信会議システムにおける議事録生成の処理手順の詳細の一例を示すフローチャートである。
【図１８】図１８は、本実施の形態に係る通信会議端末装置の処理動作の一例を示すフローチャートである。
【図１９】図１９は、本実施の形態に係る多地点接続装置の処理動作の一例を示すフローチャートである。
【図２０】図２０は、本実施の形態に係る議事録生成装置の処理動作の一例を示すフローチャートである。
【発明を実施するための形態】
【００１２】
以下、添付図面を参照しながら、この発明に係る議事録生成装置、議事録生成方法、議事録生成プログラムおよび通信会議システムの一実施形態を詳細に説明する。
【００１３】
本実施の形態の議事録生成装置は、会議出席者の音声データが文字変換された発言データに対して各会議出席者が選択入力したそれぞれの議事レベル（重要度）に基づいて総合的な議事レベルを判定して決定する。議事録生成装置は、決定した総合的な議事レベルに基づいて、発言データを議事録に記載するか否かを決定して議事録を生成する。これにより、会議出席者間で合意された内容について各会議出席者が選択入力したそれぞれの議事レベルに基づいて、会議の要点が分かり易い議事録を作成することができる。
【００１４】
以下では、本実施の形態の議事録生成装置を、音声と映像とを通信して会議する通信会議システムの一部の装置として実現する例を説明する。本実施の形態の議事録生成装置が適用可能なシステムは、このような通信会議システムに限られるものではない。
【００１５】
図１は、本実施の形態に係る通信会議システムの構成例を示す図である。本実施の形態の通信会議システム１００は、図１に示すように、会議出席者が使用する複数の通信会議端末装置１１Ａ〜１１Ｃと、議事録生成装置２１と、各通信会議端末装置１１Ａ〜１１Ｃ間のデータを中継する多地点接続装置（ＭＣＵ：Ｍｕｌｔｉｐｏｉｎｔ  Ｃｏｎｔｒｏｌ  Ｕｎｉｔ）３１とを備えている。以下、複数の通信会議端末装置１１Ａ〜１１Ｃを区別する必要がない場合は、通信会議端末装置１１と表記する。同様に以下、通信会議装置１２Ａ〜１２Ｃ、マイク１３Ａ〜１３Ｃ、カメラ１４Ａ〜１４Ｃ、スピーカ１５Ａ〜１５Ｃ、ディスプレイ１６Ａ〜１６Ｃについても区別する必要がない場合は、通信会議装置１２、マイク１３、カメラ１４、スピーカ１５、ディスプレイ１６と表記する。なお、本実施の形態の通信会議端末装置１１は３台の例で説明するが通信会議端末装置１１の台数はこれに限られるものではない。
【００１６】
複数の通信会議端末装置１１Ａ〜１１Ｃと、議事録生成装置２１と、多地点接続装置３１とは、例えば、互いに通信可能にネットワーク４１で接続されている。ネットワーク４１は、例えば、インターネットやイントラネット等のネットワークである。
【００１７】
通信会議端末装置１１は、会議出席者が発言した音声をマイク１３から入力し、音声をデジタル音声信号に変換して音声データを取得し、この音声データを文字情報に変換して発言データを生成する。通信会議端末装置１１は、カメラ１４により会議出席者を撮影して会議出席者の映像データを取得する。通信会議端末装置１１は、音声データ、発言データ、映像データ等を多地点接続装置３１との間で送受信する。また、通信会議端末装置１１は、発言データと発言データに対応した発言者情報（以下、発言データの発言者とも表記する。）とを議事録生成装置２１と多地点接続装置３１に送信する。通信会議端末装置１１は、多地点接続装置３１から受信した、各音声データを合成処理した合成音声データを出力すると共に、各映像データを合成処理した合成映像データを表示する。
【００１８】
議事録生成装置２１は、通信会議端末装置１１から発言データと発言データに対応した発言者情報（発言データの発言者）を取得する。議事録生成装置２１は、通信会議端末装置１１において発言データに対して会議出席者が選択入力した議事レベルを通信会議端末装置１１から取得する。議事録生成装置２１は、通信会議端末装置１１において会議出席者が入力した総合的な議事レベル（以下、総合的な議事レベルを「総合議事レベル」とも表記する。）の判定条件を通信会議端末装置１１から取得する。議事録生成装置２１は、通信会議端末装置１１において会議出席者が入力した議事基本情報を通信会議端末装置１１から取得する。議事録生成装置２１は、通信会議端末装置１１から取得した、発言データに対して各会議出席者が選択入力したそれぞれの議事レベルと総合的な議事レベルの判定条件に基づいて総合議事レベルを判定して決定する。議事録生成装置２１は、決定した総合議事レベルに基づいて、発言データを議事録に記載するか否かを決定する。また、議事録生成装置２１は、決定した総合議事レベルに基づいて、発言データを議事録に記載する様式を決定する。議事録生成装置２１は、取得した発言データ、発言者情報、議事基本情報を参照して、決定した総合議事レベルに基づいて議事録を生成する。
【００１９】
多地点接続装置３１は、各通信会議端末装置１１から受信した各音声データを合成処理した合成音声データを各通信会議端末装置１１に配信する。また、多地点接続装置３１は、各通信会議端末装置１１から受信した発言データ、発言者情報、映像データおよび予め取得した会議資料の情報等を合成処理した合成映像データを各通信会議端末装置１１に配信する。すなわち、多地点接続装置３１は、ネットワークを介して複数の通信会議端末装置１１間のデータを中継する。
【００２０】
次に、本実施の形態の通信会議端末装置１１について説明する。図２は、本実施の形態に係る通信会議端末装置のハードウエア構成例を示す図である。本実施の形態の通信会議端末装置１１は、図２に示すように、通信会議装置１２と、マイク１３と、カメラ１４と、スピーカ１５と、ディスプレイ１６とを備えている。
【００２１】
通信会議装置１２は、ＣＰＵ１０１と、ＲＯＭ１０２と、ＲＡＭ１０３と、フラッシュメモリ１０４と、ＳＳＤ１０５と、メディア１０６と、メディアドライブ１０７と、操作ボタン１０８と、バスライン１０９と、ネットワークＩ／Ｆ１１０と、音声入出力Ｉ／Ｆ１１１と、撮像素子Ｉ／Ｆ１１２と、ディスプレイＩ／Ｆ１１３とを備えている。
【００２２】
ＣＰＵ（Ｃｅｎｔｒａｌ  Ｐｒｏｃｅｓｓｉｎｇ  Ｕｎｉｔ）１０１は、通信会議装置１２全体の動作を制御する。また、音声データや映像データの圧縮処理を行う場合には、圧縮(エンコード)および伸張（デコード)処理を行う。ＲＯＭ（Ｒｅａｄ  Ｏｎｌｙ  Ｍｅｍｏｒｙ）１０２は、通信会議端末装置１１用プログラムを記憶する。ＲＡＭ（Ｒａｎｄｏｍ  Ａｃｃｅｓｓ  Ｍｅｍｏｒｙ）１０３は、ＣＰＵ１０１のワークエリアとして使用される。
【００２３】
フラッシュメモリ１０４は、映像データや音声データ等の各種データを記憶する。ＳＳＤ（Ｓｏｌｉｄ  Ｓｔａｔｅ  Ｄｒｉｖｅ）１０５は、ＣＰＵ１０１の制御の下でフラッシュメモリ１０４に対する各種データの読み出し又は書き込みを制御する。メディアドライブ１０７は、フラッシュメモリ等のメディア（以下、記録メディアとも表記する。）１０６に対するデータの読み出し又は書き込み（記憶）を制御する。
【００２４】
操作ボタン１０８は、通信会議装置１２を操作する。ネットワークＩ／Ｆ１１０は、ネットワークを利用してデータ伝送をする。音声入出力Ｉ／Ｆ１１１は、ＣＰＵ１０１の制御の下でマイク１３およびスピーカ１５との間で音声信号の入出力を処理する。撮像素子Ｉ／Ｆ１１２は、ＣＰＵ１０１の制御の下でカメラ１４で被写体を撮影し、映像データを取得して、映像データの伝送を制御する。ディスプレイＩ／Ｆ１１３は、ＣＰＵ１０１の制御の下でディスプレイ１６に映像データを伝送する。
【００２５】
マイク１３は、音声を入力する。スピーカ１５は、音声を出力する。バスライン１０９は、上記の各構成要素を図２に示されているように電気的に接続する。バスライン１０９は、例えば、アドレスバスやデータバス等である。
【００２６】
なお、メディア１０６は、通信会議装置１２に対して着脱自在な構成となっている。また、ＣＰＵ１０１の制御の下でデータの読み出し又は書き込みを行う不揮発性メモリであれば、フラッシュメモリ１０４に限らず、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）等を用いてもよい。また、カメラ１４としては、一例としてＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）を使用する。ＣＭＯＳは、光を電荷に変換して被写体の画像（映像）を電子化する固体撮像素子である。なお、被写体を撮像するものであればＣＭＯＳに限らず、ＣＣＤ（Ｃｈａｒｇｅ  Ｃｏｕｐｌｅｄ  Ｄｅｖｉｃｅ）等を用いてもよい。また、ディスプレイ１６は、例えば、被写体の映像や操作用アイコン等を表示する液晶や有機ＥＬにより構成されている。
【００２７】
なお、上記の通信会議端末装置１１用プログラムは、インストール可能な形式又は実行可能な形式のファイルで、上記記録メディア１０６等のコンピュータで読み取り可能な記録媒体に記録して流通させるようにしてもよい。
【００２８】
図３は、本実施の形態に係る通信会議装置の機能的構成を示すブロック図である。本実施の形態の通信会議装置１２は、図３に示すように、Ａ／Ｄ変換器２０１と、音声ＣＯＤＥＣ制御部２０２と、Ｄ／Ａ変換器２０３と、映像制御部２０４と、入力制御部２０５と、通信制御部２０６と、記憶部２０７と、音声データ文字変換部２０８と、制御部２０９とを備えている。
【００２９】
Ａ／Ｄ変換器２０１は、会議出席者の音声をマイク１３からアナログ音声信号として入力し、デジタル音声信号に変換する。
【００３０】
音声ＣＯＤＥＣ制御部２０２は、Ａ／Ｄ変換器２０１によってデジタル音声信号に変換された音声データを通信制御部２０６を介してリアルタイムでネットワーク４１へ接続された多地点接続装置３１に送信する。また、音声ＣＯＤＥＣ制御部２０２は、デジタル音声信号に変換した音声データを記憶部２０７へ一時的に記憶する。一般に音声データは、データ圧縮処理を行って圧縮音声データとして通信する場合が多いが、本実施の形態では、圧縮処理を行ってもよいし、行わなくてもよい。音声ＣＯＤＥＣ制御部２０２は、音声データの圧縮処理を行う場合には、音声データをエンコード（符号化）するための音声エンコーダと音声データをデコードおよびスピーカ１５に出力するための音声デコーダとを含む。圧縮方式としては、例えば、Ｇ．７１１やＡＡＣ（Ａｄｖａｎｃｅｄ  Ａｕｄｉｏ  Ｃｏｄｉｎｇ）などがある。また、音声ＣＯＤＥＣ制御部２０２は、多地点接続装置３１から受信した音声データを合成処理した合成音声データを通信制御部２０６を介して取得してＤ／Ａ変換器２０３に出力する。
【００３１】
Ｄ／Ａ変換器２０３は、音声ＣＯＤＥＣ制御部２０２から入力された音声データを合成処理した合成音声データをアナログ音声信号に変換し、リアルタイムでスピーカ１５から音声として出力する。
【００３２】
映像制御部２０４は、カメラ１４により撮影した会議出席者の映像データを通信制御部２０６を介してリアルタイムでネットワーク４１へ接続された多地点接続装置３１に送信する。一般に映像データは、データ圧縮処理を行って圧縮映像データとして通信する場合が多いが、本実施の形態では、圧縮処理を行ってもよいし、行わなくてもよい。映像制御部２０４は、映像データの圧縮処理を行う場合には、映像データをエンコード（符号化）するための映像エンコーダと映像データをデコードおよびディスプレイ１６に表示するための映像デコーダとを含む。圧縮方式としては、例えば、Ｈ．２６４やＭＰＥＧ−４などがある。また、映像エンコーダは、映像制御部２０４から指示される圧縮パラメータ（圧縮方式、解像度、フレームレート、ビットレートなど）に応じて、圧縮パラメータの変更を行う。また、映像エンコーダは、圧縮方式を変更した場合は、圧縮方式を示すデータを符号化データに付加する。例えば、映像エンコーダは、圧縮方式を示すデータを符号化ヘッダに含めたり、一意に識別できるデータとして符号化データの先頭に付加したりする。また、映像制御部２０４は、多地点接続装置３１から受信した映像データを合成処理した合成映像データを通信制御部２０６を介して取得してディスプレイ１６に表示する。
【００３３】
入力制御部２０５は、ディスプレイ（タッチパネルディスプレイ）１６から入力されたデータを取得して通信制御部２０６を介してネットワーク４１へ接続された議事録生成装置２１および多地点接続装置３１に送信する。データとしては、例えば、議事基本情報、総合議事レベル判定条件、その通信会議端末装置１１を使用する出席者名、会議出席者が発言データに対して選択入力する議事レベルなどである。
【００３４】
通信制御部２０６は、ネットワーク４１に接続された議事録生成装置２１および多地点接続装置３１とのデータの送受信を制御する。
【００３５】
記憶部２０７は、制御部２０９の制御の下で会議出席者がディスプレイ１６から入力した出席者名（発言者情報）を入力制御部２０５を介して取得して記憶する。記憶部２０７は、デジタル音声信号に変換した音声データを記憶する。また、記憶部２０７は、音声データ文字変換部２０８で変換した発言データと上記の発言者情報（出席者名）とを対応付けて記憶する。
【００３６】
音声データ文字変換部２０８は、記憶部２０７に記憶した音声データを文字情報（以下、発言データと表記する。）に変換する。音声データ文字変換部２０８は、発言データと予め記憶部２０７に記憶した発言者情報（発言データの発言者）とを対応付けて記憶部２０７に記憶させる。音声データ文字変換部２０８は、発言データと発言データに対応した発言者情報とを通信制御部２０６を介して議事録生成装置２１および多地点接続装置３１へ送信する。なお、音声データを文字情報（文字データ）である発言データに変換する技術として、例えば、音声認識技術を用いることができる。
【００３７】
制御部２０９は、通信会議装置１２全体の動作を制御する。
【００３８】
図４および図５は、本実施の形態に係る通信会議端末装置のディスプレイ表示映像の一例を示す図である。図４に示すように、通信会議端末装置１１のディスプレイの表示映像３０１は、例えば、主に３つの表示領域３０２〜３０４に区分される。
【００３９】
表示領域３０２は、例えば、会議資料を表示する領域である。これにより、会議出席者は、表示領域３０２に表示される会議資料を見ながら討議を行うことができる。表示領域３０３は、例えば、各通信会議端末装置１１Ａ〜１１Ｃを使用している会議出席者の映像を表示する領域である。これにより、会議出席者は、他の会議出席者の表情などを見ながら討議を行うことができる。
【００４０】
表示領域３０４は、例えば、会議出席者の発言内容などを表示する領域である。表示領域３０４は、会議出席者の音声データを文字情報に変換した発言データの他に、発言時刻、発言者情報（発言データの発言者）および議事レベル（重要度）などを表示する。これにより、会議出席者が、他の会議出席者の発言内容を聞き逃した場合でも、発言データと発言者情報を参照することにより発言内容と発言者を知ることができる。
【００４１】
図５は、図４の表示領域３０４の表示映像の一例であり、通信会議端末装置１１Ｃを使用するＺ氏のディスプレイ１６Ｃの表示映像を示す図である。図５に示すように、通信会議端末装置１１Ｃのディスプレイ１６Ｃの表示領域３０４は、例えば、主に４つの表示領域４０１〜４０４に区分される。
【００４２】
表示領域４０１は、発言データの発言時刻を表示する領域である。表示領域４０２は、会議出席者の音声データを文字情報に変換した発言データを表示する領域である。表示領域４０３は、発言データの発言を行った人物である発言者を表示する領域である。表示領域４０４は、発言データに対して各会議出席者が議事レベルを選択入力できる領域であると共に、各会議出席者が選択入力した議事レベルを表示する領域である。ここで、議事レベルとは、発言データに対する重要度である。後述する議事録生成装置２１は、この発言データに対する重要度（議事レベル）に基づいて発言データの総合議事レベルを判定し、発言データを議事録に記載するか否かを決定する。
【００４３】
図５において、例えば、議事レベルを、「Ａ、Ｂ、Ｃ、削除」の４段階とする。この例では、議事レベル「Ａ」は、重要度が高いレベルであることを示す。議事レベル「Ｂ」は、重要度が中のレベルであることを示す。議事レベル「Ｃ」は、重要度が低いレベルであることを示す。議事レベル「削除」は重要度が最低のレベルであることを示し、議事録に記載しないことを示す。なお、議事レベルは一例として、「Ａ、Ｂ、Ｃ、削除」の４段階に分けて説明したがこれに限ることはなく議事レベルの段階や種類は任意に設定できる。
【００４４】
議事レベルは、各発言データに対して、その発言データの発言者および他の会議出席者が選択入力する。議事レベルの入力は、図５の表示領域４１２で示した部分が、例えばタッチパネル式になっていて、会議出席者が任意の議事レベルをタッチすることで各発言データに対して議事レベルを選択入力できる。
【００４５】
表示領域４１２の行４０５では、「開発方針は問題ありません。」とＸ氏が発言した発言データに対して、Ｚ氏は議事レベル「Ａ」を選択入力した例を示す。また、行４０６では、「開発コストの人件費をもっと抑えることはできないのですか。」とＸ氏が発言した発言データに対して、Ｚ氏は議事レベル「Ｂ」を選択入力した例を示す。同様に行４０７では、「開発スケジュールを守るにはこれ以上の人員削減はできません。」とＹ氏が発言した発言データに対して、Ｚ氏は議事レベル「Ｃ」を選択入力した例を示す。このように各発言データに対して会議出席者がそれぞれの議事レベルを選択入力することができる。なお、議事レベルの入力方法としてタッチパネル式による選択入力の例を示したが、入力方法はマウスやキーボード（図３では図示せず）など他の方法を用いてもよい。
【００４６】
発言データに対して各会議出席者が選択入力したそれぞれの議事レベルは、上述した通信会議装置１２の入力制御部２０５、通信制御部２０６を介してネットワーク４１に接続された議事録生成装置２１および多地点接続装置３１に送信される。議事録生成装置２１では、各会議出席者が選択入力したそれぞれの議事レベルに基づき各発言データの総合的な議事レベルを判定して決定し、多地点接続装置３１に送信する。多地点接続装置３１では、各会議出席者が選択入力したそれぞれの議事レベルと議事録生成装置２１が判定条件に基づいて決定した総合議事レベルとを、他の映像データと共に合成処理した合成映像データを生成して各通信会議端末装置１１に配信する。以上のような処理により、図５の表示領域４１３に示すように、各通信会議端末装置１１のディスプレイ１６には、各発言データに対して各会議出席者が選択入力したそれぞれの議事レベルと議事録生成装置２１が判定条件に基づいて決定した総合議事レベルとが表示される。
【００４７】
次に、本実施の形態の議事録生成装置２１について説明する。図６は、本実施の形態に係る議事録生成装置のハードウエア構成例を示す説明図である。本実施の形態の議事録生成装置２１は、図６に示すように、ＣＰＵ５０１と、ＲＯＭ５０２と、ＲＡＭ５０３と、ＨＤ５０４と、ＨＤＤ５０５と、メディア５０６と、メディアドライブ５０７と、ディスプレイ５０８と、ネットワークＩ／Ｆ５０９と、バスライン５１０と、キーボード５１１と、マウス５１２と、ＣＤ−ＲＯＭ５１３と、ＣＤ−ＲＯＭドライブ５１４とを備えている。
【００４８】
ＣＰＵ５０１は、議事録生成装置２１全体の動作を制御する。ＲＯＭ５０２は、議事録生成装置２１を制御するための議事録生成装置２１用プログラムを記憶する。ＲＡＭ５０３は、ＣＰＵ５０１のワークエリアとして使用される。ＨＤ（Ｈａｒｄ  Ｄｉｓｋ）５０４は、各種データを記憶する。ＨＤＤ（Ｈａｒｄ  Ｄｉｓｋ  Ｄｒｉｖｅ）５０５は、ＣＰＵ５０１の制御の下でＨＤ５０４に対するデータの読み出し又は書き込みを制御する。
【００４９】
メディアドライブ５０７は、フラッシュメモリ等のメディア（以下、記録メディアとも表記する。）５０６に対するデータの読み出し又は書き込み（記憶）を制御する。ディスプレイ５０８は、カーソル、メニュー、ウィンドウ、文字、又は画像などの各種情報を表示する。
【００５０】
ネットワークＩ／Ｆ５０９は、ネットワーク４１を利用してデータ伝送をする。キーボード５１１は、文字、数値、各種指示などの入力のための複数のキーを備える。マウス５１２は、各種指示の選択や実行、処理対象の選択、カーソルの移動などを行う。ＣＤ−ＲＯＭドライブ５１４は、着脱可能な記録媒体の一例としてのＣＤ−ＲＯＭ（Ｃｏｍｐａｃｔ  Ｄｉｓｃ  Ｒｅａｄ  Ｏｎｌｙ  Ｍｅｍｏｒｙ）５１３に対するデータの読み出し又は書き込みを制御する。
【００５１】
バスライン５１０は、上記の各構成要素を図６に示されているように電気的に接続する。バスライン５１０は、例えば、アドレスバスやデータバス等である。
【００５２】
なお、上記の議事録生成装置２１用プログラムは、インストール可能な形式又は実行可能な形式のファイルで、上記記録メディア５０６やＣＤ−ＲＯＭ５１３等のコンピュータで読み取り可能な記録媒体に記録して流通させるようにしてもよい。
【００５３】
図７は、本実施の形態に係る議事録生成装置の機能的構成を示すブロック図である。本実施の形態の議事録生成装置２１は、図７に示すように、発言データ取得部６０１と、発言者情報取得部６０２と、議事レベル取得部６０３と、判定条件取得部６０４と、議事基本情報取得部６０５と、総合議事レベル判定部６０６と、議事録生成部６０７と、総合議事レベル出力部６０８と、記憶部６０９と、議事録データ出力部６１０と、通信制御部６１１と、制御部６１２とを備えている。
【００５４】
発言データ取得部６０１は、各通信会議端末装置１１から受信した各発言データを通信制御部６１１を介して取得する。発言データ取得部６０１は、取得した各発言データを総合議事レベル判定部６０６と議事録生成部６０７に送信する。
【００５５】
発言者情報取得部６０２は、上記の発言データ取得部６０１で取得した各発言データに対応した発言者情報を通信制御部６１１を介して通信会議端末装置１１から取得する。発言者情報取得部６０２は、上記の各発言データに対応付けられた発言者情報を総合議事レベル判定部６０６と議事録生成部６０７に送信する。すなわち、発言データ取得部６０１と発言者情報取得部６０２は、協働して、各発言データと発言データに対応付けられた発言者情報とを合わせて総合議事レベル判定部６０６と議事録生成部６０７に送信する。
【００５６】
議事レベル取得部６０３は、通信会議端末装置１１において１つの発言データに対して各会議出席者が選択入力した、それぞれの議事レベル（重要度）を通信制御部６１１を介して通信会議端末装置１１から取得する。議事レベル取得部６０３は、取得した１つの発言データに対する、それぞれの議事レベルを総合議事レベル判定部６０６へ送信する。すなわち、発言データ取得部６０１と発言者情報取得部６０２と議事レベル取得部６０３は、それぞれ協働して、１つの発言データと、発言データに対応付けられた発言者情報と、１つの発言データに対するそれぞれの議事レベルとを合わせて総合議事レベル判定部６０６に送信する。
【００５７】
判定条件取得部６０４は、通信会議端末装置１１において会議出席者が設定した判定条件を通信制御部６１１を介して通信会議端末装置１１から取得する。判定条件取得部６０４は、取得した判定条件を総合議事レベル判定部６０６へ送信する。ここで、判定条件とは総合的な議事レベルを判定するための条件である。
【００５８】
総合的な議事レベルを判定するための判定条件は、例えば、以下の判定条件（１）〜（４）を設定することができる。
（１）判定条件は、１つの発言データに対して各会議出席者が選択入力したそれぞれの議事レベルを平均して、議事レベルの平均値が、ある閾値を超える場合は総合的な議事レベルを高レベルとし、議事レベルの平均値が、第１の閾値の範囲の場合は総合的な議事レベルを中レベルとし、議事レベルの平均値が、第２の閾値の範囲の場合は総合的な議事レベルを低レベルとし、議事レベルの平均値が、ある閾値以下の場合は総合的な議事レベルを削除とする。
（２）判定条件は、１つの発言データに対して各会議出席者が選択入力したそれぞれの議事レベルに基づき、議事レベルの種別毎に選択された議事レベルの数を求め、最も選択された数が多い議事レベルを総合的な議事レベルとする。
（３）判定条件は、各会議出席者に予め割り当てられた重み付けと、１つの発言データに対して各会議出席者が選択入力したそれぞれの議事レベルとに基づき、議事レベルの種別毎に選択された議事レベルの数を求め、最も選択された数が多い議事レベルを総合的な議事レベルとする。
（４）判定条件は、発言データに対して発言者が選択入力した議事レベルが最高レベルまたは最低レベルである場合には、発言者が選択入力した議事レベルを総合的な議事レベルとする。
なお、判定条件はこれらに限定されることはなく、任意の判定条件を設定することができる。
【００５９】
議事基本情報取得部６０５は、通信会議端末装置１１において会議出席者により入力された議事基本情報を通信制御部６１１を介して通信会議端末装置１１から取得する。議事基本情報取得部６０５は、取得した議事基本情報を議事録生成部６０７に送信する。ここで、議事基本情報とは、会議名称、会議日時、会議場所、会議出席者、会議資料などの議事録に記載する基本的情報である。
【００６０】
総合議事レベル判定部６０６は、発言データに対して、各会議出席者が選択入力したそれぞれの議事レベルに基づいて、取得した判定条件によって、その発言データに対する総合的な議事レベルを判定して決定する。総合議事レベル判定部６０６は、発言データに対して決定した総合的な議事レベルを議事録生成部６０７と総合議事レベル出力部６０８に送信する。すなわち、総合議事レベル判定部６０６では、発言データが、例えば、１０個あるとすると、１０個それぞれの発言データに対する総合議事レベルが決定される。
【００６１】
議事録生成部６０７は、総合議事レベル判定部６０６で決定した発言データに対する総合的な議事レベルに基づいて、その発言データを議事録に記載するか否かを決定する。また、議事録生成部６０７は、総合議事レベル判定部６０６で決定した発言データに対する総合的な議事レベルに基づいて、その発言データを議事録に記載する様式を決定する。議事録生成部６０７は、取得した各発言データ、発言データに対応する発言者情報、議事基本情報に基づいて議事録を生成する。議事録生成部６０７は、生成した議事録を記憶部６０９に記憶すると共に議事録データ出力部６１０に送信する。
【００６２】
総合議事レベル出力部６０８は、総合議事レベル判定部６０６で決定した発言データに対する総合的な議事レベルを通信制御部６１１を介して多地点接続装置３１に送信する。
【００６３】
記憶部６０９は、生成した議事録を記憶する。
【００６４】
議事録データ出力部６１０は、議事録生成部で生成した議事録をデータとして通信制御部６１１を介して多地点接続装置３１に送信する。
【００６５】
通信制御部６１１は、ネットワーク４１に接続された議事録生成装置２１および多地点接続装置３１とのデータの送受信を制御する。
【００６６】
制御部６１２は、議事録生成装置２１全体の動作を制御する。
【００６７】
次に、判定条件（１）〜（４）に基づいた総合的な議事レベルの判定方法の一例について説明する。図８〜１３は、判定条件（１）〜（４）に基づいた総合的な議事レベルの判定方法の一例を説明する図である。なお、議事レベルおよび総合議事レベルは、上述したように一例として、「Ａ、Ｂ、Ｃ、削除」の４段階に分けて説明するが、議事レベルおよび総合議事レベルの段階や種類は任意に設定することができる。
【００６８】
［判定条件（１）の場合］
図８〜１０は、各会議出席者が選択入力したそれぞれの議事レベルを平均して、その平均値により総合議事レベルを判定する一例を説明する図である。図８は、議事レベルに対応する数値である。図８に示すように、例えば、議事レベルＡ＝３、議事レベルＢ＝２、議事レベルＣ＝１、議事レベル削除＝０の数値を割り当てる。
【００６９】
図９は、議事レベルの平均値に対応する総合議事レベルである。図９に示すように、議事レベルの平均値が例えば、ある閾値である２．５超え３．０以下は、総合議事レベルをＡ（重要度が高レベル）と判定する。議事レベルの平均値が例えば、第１の閾値の範囲である１．５超え２．５以下は、総合議事レベルをＢ（重要度が中レベル）と判定する。議事レベルの平均値が例えば、第２の閾値の範囲である０．５超え１．５以下は、総合議事レベルをＣ（重要度が低レベル）と判定する。議事レベルの平均値が例えば、ある閾値である０．５以下は、総合議事レベルを削除（重要度が最低レベル）と判定する。
【００７０】
図１０は、各会議出席者のそれぞれの議事レベルの平均値に基づいた総合議事レベルの判定例である。例えば、行７０１は、平均値が２．６であるため総合議事レベルはＡと判定する。行７０２〜７０４は、平均値が１．６〜２．３であるため総合議事レベルはＢと判定する。行７０５は、平均値が１．３であるため総合議事レベルはＣと判定する。行７０６は、平均値が０．３であるため総合議事レベルは削除と判定する。
【００７１】
また、図５に示した行４０５、４０６、４０８、４０９は、判定条件（１）に基づいて判定した例である。このように、判定条件（１）を適用することにより、正確に総合議事レベルを決定することができる。
【００７２】
［判定条件（２）の場合］
図１１は、１つの発言データに対して各会議出席者が選択入力したそれぞれの議事レベルの中で最も選択された数が多い議事レベルを総合議事レベルと判定した判定例である。図１１に示すように、例えば、行８０１は、Ｘ氏、Ｙ氏が議事レベルＡであり最も選択された数が多い議事レベルであるため総合議事レベルはＡと判定する。
【００７３】
より具体的には、Ｘ氏の議事レベルはＡ、Ｙ氏の議事レベルはＡ、Ｚ氏の議事レベルはＢである。総合議事レベルの判定は、Ａ、Ａ、Ｂの３個の議事レベルの中で最も選択された数が多い議事レベルであるＡと判定する。つまり、総合議事レベルの判定は、Ａ、Ａ、Ｂの３個の議事レベルから多数決により議事レベルＡと決定する。
【００７４】
同様に行８０２は、Ｙ氏、Ｚ氏が議事レベルＢであり最も選択された数が多い議事レベルであるため総合議事レベルはＢと判定する。行８０３は、Ｘ氏、Ｙ氏が議事レベルＢであり最も選択された数が多い議事レベルであるため総合議事レベルはＢと判定する。
【００７５】
行８０４および行８０５は、Ｙ氏、Ｚ氏が議事レベルＣであり最も選択された数が多い議事レベルであるため総合議事レベルはＣと判定する。行８０６は、Ｙ氏、Ｚ氏が議事レベル削除であり最も選択された数が多い議事レベルであるため総合議事レベルは削除と判定する。このように、総合議事レベルは、議事レベルの中で最も選択された数が多い議事レベルに多数決により決定する。
【００７６】
また、図５に示した行４０７は、判定条件（２）に基づいて判定した例である。このように、判定条件（２）を適用することにより、公平な総合議事レベルを決定することができる。
【００７７】
［判定条件（３）の場合］
図１２は、各会議出席者に予め割り当てられた重み付けと、１つの発言データに対して各会議出席者が選択入力したそれぞれの議事レベルとに基づき、議事レベルの種別毎に選択された議事レベルの数を求め、最も選択された数が多い議事レベルを総合的な議事レベルと判定した判定例である。図１２に示すように、例えば、各会議出席者の議事レベルが全て違う場合、行９０１は、発言者のＸ氏の重み付けを予め２倍と割り当てておくことで、議事レベルＡは２個となる。よって、それぞれの議事レベルの中で最も選択された数が多い議事レベルはＡになるので総合議事レベルはＡと判定する。
【００７８】
より具体的には、発言者Ｘ氏の議事レベルはＡ、Ｙ氏の議事レベルはＢ、Ｚ氏の議事レベルはＣである。ここで、発言者のＸ氏には予め２倍の重み付けを割り当て、Ｙ氏、Ｚ氏には１倍の重み付けを割り当てたものとする。発言者のＸ氏には例えば、予め２倍の重み付けが割り当てられているため、Ｘ氏が選択した議事レベルＡの個数は、２倍の２個となる。Ｙ氏、Ｚ氏には１倍の重み付けが割り当てられているため、Ｙ氏が選択した議事レベルＢ、Ｚ氏が選択した議事レベルＣの個数は変わらない。すなわち、議事レベルの種別毎に選択された議事レベルの数は、Ａが２個、Ｂが１個、Ｃが１個である。よって、総合議事レベルの判定は、各会議出席者が選択入力したそれぞれの議事レベルの中で最も選択された数が多い議事レベルであるＡと判定する。つまり、総合議事レベルの判定は、Ａ、Ａ、Ｂ、Ｃの４個の議事レベルから多数決により議事レベルＡと決定する。
【００７９】
行９０２は、発言者のＹ氏に予め２倍の重み付けを割り当てた例であり、Ｙ氏が選択した議事レベルＢの個数は、２倍の２個となり、それぞれの議事レベルの中で最も選択された数が多い議事レベルになるため総合議事レベルはＢと判定する。行９０３は、発言者のＺ氏に予め２倍の重み付けを割り当てた例であり、Ｙ氏が選択した議事レベルＣの個数は、２倍の２個となり、それぞれの議事レベルの中で最も選択された数が多い議事レベルになるため総合議事レベルはＣと判定する。このように、判定条件（３）を適用することにより、発言者の意図を重く捉えた上でそれぞれの議事レベルの中で最も選択された数が多い議事レベルに総合議事レベルを決定することができる。なお、各会議出席者に予め割り当てられる重み付けは２倍に限ることはなく任意に設定することができる。
【００８０】
［判定条件（４）の場合］
図１３は、発言者の議事レベルが最高または最低レベルである場合には、総合議事レベルを発言者が選択入力した議事レベルとする判定例である。図１３に示すように、例えば、発言者をＸ氏とした場合、行１００１は、発言者のＸ氏の議事レベルがＡの最高レベルであるため総合議事レベルはＡと判定する。行１００２は、発言者のＸ氏の議事レベルがＢの中レベルであるため総合議事レベルはＹ氏、Ｚ氏が選択したＡと判定する。行１００３は、発言者のＸ氏の議事レベルがＣの低レベルであるため総合議事レベルはＹ氏、Ｚ氏が選択したＢと判定する。行１００４は、発言者のＸ氏の議事レベルが削除の最低レベルであるため総合議事レベルは削除と判定する。
【００８１】
また、図５に示した行４１０は、判定条件（４）に基づいて判定した例である。このように、判定条件（４）を適用することにより、発言者の意図をより重く捉えた上で発言者の議事レベルを総合議事レベルとすることができる。
【００８２】
このように、議事録生成装置２１は、会議出席者が設定した総合的な議事レベルの判定条件に応じて、１つの発言データに対して各会議出席者が選択入力したそれぞれの議事レベルに基づいて総合議事レベルを決定する。本実施の形態において、総合議事レベルは、例えば、Ａ（重要度が高レベル）、Ｂ（重要度が中レベル）、Ｃ（重要度が低レベル）、削除（重要度が最低レベル）の４段階である。本実施の形態において、議事録生成装置２１は、発言データに対して判定された総合議事レベルがＡ〜Ｃであれば、その発言データは議事録に記載すると決定し、総合議事レベルが削除であれば、その発言データは議事録に記載しないと決定する。なお、議事録に記載する範囲の総合議事レベルは任意に設定することができる。
【００８３】
次に、図５と図１４を参照して議事録生成装置２１が生成した議事録の一例について説明する。図１４は、本実施の形態に係る議事録生成装置が生成した議事録の記載様式の一例を示す図である。
【００８４】
図１４に示すように、議事録の記載様式として議事録の先頭の行１１０１〜１１０５には、取得した議事基本情報に基づいて会議名称１１０１、日時１１０２、場所１１０３、出席者１１０４、会議資料１１０５を記載する。
【００８５】
議事録内容は、例えば、発言データ１１０６、発言者情報１１０７を総合議事レベルに基づいて記載する。記載様式として、例えば、図５に示した行４０５の「開発方針は問題ありません。」という発言データや行４０９の「開発コストの必要性は分かりましたので、本方式を採用しましょう。」という発言データは、総合議事レベルＡと判定されている。よって、図１４に示すように「開発方針は問題ありません。１１０６」や「開発コストの必要性は分かりましたので、本方式を採用しましょう。１１１０」は、議事録の主要項目（直接議事）とする。
【００８６】
また、図５に示した行４０６の「開発コストの人件費をもっと抑えることはできないのですか。」という発言データや、行４０７の「開発スケジュールを守るにはこれ以上の人員削減はできません。」という発言データは、総合議事レベルＢと判定されている。よって、図１４に示すように「開発コストの人件費をもっと抑えることはできないのですか。１１０８」や「開発スケジュールを守るにはこれ以上の人員削減はできません。１１０９」は、議事録の主要項目の下位の項目（詳細討議）とする。また、発言データが総合議事レベルＣと判定されていれば、さらに下位の項目とする。
【００８７】
また、図５に示した行４０８の「うーん、そうですか、スケジュールへの影響がでますか。」という発言データや、行４１０の「ありがとうございます。」という発言データは、総合議事レベル削除と判定されている。よって、図１４に示すように議事録には記載しない。
【００８８】
このように、議事録生成装置２１は、総合議事レベル毎に発言データが総合議事レベルＡであれば議事録の主要項目（直接議事）として記載し、総合議事レベルＢであれば主要項目の下位の項目（詳細討議）として記載し、総合議事レベルＣであればさらに下位の項目として記載する。また、総合議事レベル削除であれば議事録には記載しない。
【００８９】
また、議事録の記載様式は、総合議事レベル毎に発言データの文字の体裁を変えるように記載することもできる。例えば、総合議事レベル毎に発言データの文字の色を変更するようにしてもよいし、文字の大きさを変更するようにしてもよい。例えば、総合議事レベルＡであれば朱記で記載してもよいし、総合議事レベルＢであれば総合議事レベルＡよりも文字サイズを小さくして記載してもよい。
【００９０】
また、総合議事レベルＣであれば議事録の添付資料にして議事録本文には記載しないなど、総合議事レベル毎に議事録の記載様式を変更することができる。なお、総合議事レベルに基づく記載様式はこれに限ることはなく任意に設定することができる。
【００９１】
このように、本実施の形態の議事録生成装置２１は、総合議事レベルに基づいて総合議事レベル毎に発言データに項目の順位をつけて議事録を生成するため、会議の要点が分かり易いと共に議決に至った経緯やその詳細が分かり易い議事録を生成することができる。
【００９２】
また、本実施の形態の議事録生成装置２１は、総合議事レベルに基づいて総合議事レベル毎に発言データの文字の体裁を変えるようにするため、視覚的にも分かり易い議事録を生成することができる。
【００９３】
次に、本実施の形態に係る多地点接続装置について説明する。本実施の形態の多地点接続装置３１のハードウエア構成例は、上述した議事録生成装置２１と同様の構成を有しているため、詳細な説明を省略する。
【００９４】
図１５は、本実施の形態に係る多地点接続装置の機能的構成を示すブロック図である。本実施の形態の多地点接続装置３１は、図１５に示すように、通信制御部１２０１と、情報処理部１２０２とを備えている。
【００９５】
通信制御部１２０１は、ネットワーク４１に接続された通信会議端末装置１１および議事録生成装置２１とのデータの送受信を制御する。
【００９６】
情報処理部１２０２は、受信制御部１２０３と、映像合成部１２０４と、音声合成部１２０５と、送信制御部１２０６とを含む。
【００９７】
受信制御部１２０３は、ネットワーク４１から通信制御部１２０１を介して受信した全ての通信会議端末装置１１の映像データおよび音声データを映像合成部１２０４および音声合成部１２０５に振り分ける。
【００９８】
映像合成部１２０４は、各通信会議端末装置１１および議事録生成装置２１から取得した全ての映像データをレイアウトして１つの映像データに合成処理し、合成処理した映像データ（以下、合成映像データとも表記する。）を送信制御部１２０６に出力する。全ての映像データとしては、例えば、各通信会議端末装置１１および議事録生成装置２１から取得した映像データ、発言データ、発言データに対応した発言者情報、発言データに対する議事レベル、発言データに対する総合的な議事レベル、議事基本情報（会議資料などの情報）などである。
【００９９】
映像合成部１２０４は、それぞれの映像データを任意の様式でレイアウトして１つの映像データに合成処理して合成映像データを生成する。このとき、映像合成部１２０４は、総合議事レベルに応じて、例えば、表示する発言データの行の文字属性（色や太字など）や行属性（網掛けなど）によって強調表示するようにしてもよい。例えば、図５において、総合議事レベルＡと判定された発言データの行４０５、４０９は赤色文字で表示し、総合議事レベル削除と判定された発言データの行４０８、４１０は青色文字で表示する。このように、発言データを強調表示することにより総合議事レベルが視覚的に分かり易くなる。
【０１００】
音声合成部１２０５は、各通信会議端末装置１１から取得した全ての音声データを合成処理し、合成処理した音声データ（以下、合成音声データとも表記する。）を送信制御部１２０６に出力する。
【０１０１】
送信制御部１２０６は、映像合成部１２０４および音声合成部１２０５から取得した合成映像データおよび合成音声データを、通信制御部１２０１を介して全ての通信会議端末装置１１に配信する。送信制御部１２０６は、音声合成処理よりも映像合成処理の方が時間を要するため、合成映像データに合わせて合成音声データを遅らせて同期させて全ての通信会議端末装置１１に配信する。
【０１０２】
このように、多地点接続装置３１は、各通信会議端末装置１１および議事録生成装置２１から受信した、それぞれの音声データおよび映像データを合成処理して全ての通信会議端末装置１１に配信する。すなわち、多地点接続装置３１は、ネットワークを介して複数の通信会議端末装置１１間の各種データを中継する。これにより、複数の通信会議端末装置１１間で会議出席者は互いに相手の顔の映像や会議資料などを見ながら討議を行い、通信会議を行うことができる。
【０１０３】
次に、本実施の形態に係る通信会議システムにおける議事録生成の手順の流れを説明する。図１６は、本実施の形態に係る通信会議システムにおける議事録生成の手順の流れの一例を示すフローチャートである。
【０１０４】
図１６を参照して、主に通信会議端末装置１１の手順の流れについて説明する。通信会議端末装置１１は、会議出席者の中で会議責任者または会議進行者が通信会議端末装置１１から入力した議事基本情報を取得する（ステップＳ１０１）。通信会議端末装置１１は、取得した議事基本情報を議事録生成装置２１および多地点接続装置３１へ送信する（ステップＳ１０２）。次に、通信会議端末装置１１は、会議責任者または会議進行者が設定した総合議事レベル判定条件を取得する（ステップＳ１０３）。通信会議端末装置１１は、取得した総合議事レベル判定条件を議事録生成装置２１へ送信する（ステップＳ１０４）。次に、通信会議端末装置１１は、会議出席者が通信会議端末装置１１から入力した通信会議端末装置１１を使用する出席者名を取得する（ステップＳ１０５）。通信会議端末装置１１は、取得した出席者名と各通信会議端末装置１１とを対応付ける（ステップＳ１０６）。これにより、各通信会議端末装置１１では、通信会議端末装置１１で取得した発言データと発言者情報とが対応付けられる。通信会議端末装置１１は、発言データを生成した際に発言データと発言者情報とを合わせて議事録生成装置２１および多地点接続装置３１に送信する。
【０１０５】
次に、通信会議端末装置１１は、通信会議が開始されたら、音声データ、映像データを取得する（ステップＳ１０７）。通信会議端末装置１１は、音声データから発言データを生成する（ステップＳ１０８）。通信会議端末装置１１は、音声データ、生成した発言データと発言者情報、映像データとを合わせて議事録生成装置２１および多地点接続装置３１に送信する（ステップＳ１０９）。通信会議端末装置１１は、合成音声データ、合成映像データを多地点接続装置３１から取得する（ステップＳ１１０）。通信会議端末装置１１は、合成音声データを出力すると共に合成映像データを表示する（ステップＳ１１１）。通信会議端末装置１１は、発言データに対して会議出席者が選択入力した議事レベルを取得して議事録生成装置２１および多地点接続装置３１に送信する（ステップＳ１１２）。通信会議端末装置１１は、総合議事レベルを議事録生成装置２１から取得して表示する（ステップＳ１１３）。議事録生成装置２１は、議事進行に従い議事録を生成する（ステップＳ１１４）。通信会議端末装置１１は、議事録生成装置２１から議事録データを取得してディスプレイ１６に表示出力（ステップＳ１１５）し、処理を終了する。
【０１０６】
なお、ステップＳ１１５において、通信会議端末装置１１は、議事録生成装置２１から取得した議事録データをディスプレイ１６に表示出力すると共に、議事録データをプリンタ（図１〜３では図示せず）で印刷出力させるようにしてもよい。プリンタとしては、通信会議端末装置１１に直接接続された構成のプリンタでもよいし、ネットワーク４１に接続された構成のプリンタでもよい。
【０１０７】
次に、図１６のステップＳ１１４における議事録生成の手順の流れの詳細について説明する。図１７は、本実施の形態に係る通信会議システムにおける議事録生成の手順の流れの詳細の一例を示すフローチャートである。
【０１０８】
図１７を参照して、主に議事録生成装置２１と多地点接続装置３１の手順の流れについて説明する。議事録生成装置２１および多地点接続装置３１は、通信会議端末装置１１から発言データと発言者情報とを取得する（ステップＳ２０１）。多地点接続装置３１は、発言データと発言者情報とを各通信会議端末装置１１に送信して表示させる（ステップＳ２０２）。
【０１０９】
次に、議事録生成装置２１は、通信会議端末装置１１に表示された発言データを修正するか否かを判定する（ステップＳ２０３）。発言データを修正する場合（ステップＳ２０３：ＹＥＳ）、議事録生成装置２１は、修正した発言データを取得する（ステップＳ２０４）。発言データの修正は、例えば、発言者が通信会議端末装置１１を使用して行うことができる。ステップＳ２０２に戻り、多地点接続装置３１は、修正後の発言データと発言者情報とを通信会議端末装置１１から取得して通信会議端末装置１１に送信して表示させる。
【０１１０】
発言データを修正しない場合（ステップＳ２０３：ＮＯ）、多地点接続装置３１は、各会議出席者が各通信会議端末装置１１のディスプレイ１６から選択入力したそれぞれの議事レベルを取得する（ステップＳ２０５）。次に、多地点接続装置３１は、各会議出席者が選択入力した発言データに対するそれぞれの議事レベルを各通信会議端末装置１１に送信して表示させる（ステップＳ２０６）。
【０１１１】
議事録生成装置２１は、会議出席者全員が議事レベルを入力済か否かを判定する（ステップＳ２０７）。会議出席者全員が議事レベルを入力済でない場合（ステップＳ２０７：ＮＯ）、ステップＳ２０５に戻り、議事録生成装置２１は、各会議出席者が議事レベルを入力するまで待機する。会議出席者全員が議事レベルを入力済の場合（ステップＳ２０７：ＹＥＳ）、議事録生成装置２１は、発言データに対する各会議出席者が選択入力したそれぞれの議事レベルを取得する（ステップＳ２０８）。
【０１１２】
次に、議事録生成装置２１は、総合議事レベル判定条件を変更するか否かを判定する（ステップＳ２０９）。総合議事レベル判定条件を変更する場合（ステップＳ２０９：ＹＥＳ）、議事録生成装置２１は、変更した判定条件を取得する（ステップＳ２１０）。判定条件の変更は、例えば、会議出席者が各通信会議端末装置１１を使用して行うことができる。
【０１１３】
次に、総合議事レベル判定条件を変更しない場合（ステップＳ２０９：ＮＯ）、議事録生成装置２１は、総合議事レベル判定条件に基づき、総合議事レベルを決定する（ステップＳ２１１）。議事録生成装置２１は、決定した総合議事レベルを多地点接続装置３１を介して各通信会議端末装置１１に送信して表示させる（ステップＳ２１２）。
【０１１４】
次に、議事録生成装置２１は、通信会議が終了したか否かを判定する（ステップＳ２１３）。通信会議が終了していない場合（ステップＳ２１３：ＮＯ）、議事録生成装置２１は、最も古い発言データ表示の行を１行削除する（ステップＳ２１４）。次に、議事録生成装置２１は、多地点接続装置３１を介して各通信会議端末装置１１のディスプレイ１６に表示される発言データ表示の表示位置を１行シフトして表示させる（ステップＳ２１５）。次に、ステップＳ２０１に戻り、発言データと発言者情報の取得処理を継続する。
【０１１５】
通信会議が終了した場合（ステップＳ２１３：ＹＥＳ）、議事録生成装置２１は、各発言データの総合議事レベルに基づいてそれぞれの発言データを議事録に記載するか否かを決定する（ステップＳ２１６）。次に、議事録生成装置２１は、各発言データの総合議事レベルに応じて、それぞれの発言データを議事録に記載する様式を決定する（ステップＳ２１７）。次に、議事録生成装置２１は、議事録を生成して、生成した議事録データを記憶部６０９に記憶する（ステップＳ２１８）と共に議事録データを多地点接続装置３１を介して各通信会議端末装置１１に送信（ステップＳ２１９）してディスプレイ１６に表示させ、処理を終了する。
【０１１６】
以上のような手順の流れによって、本実施の形態の通信会議システム１００では、会議出席者間で合意された内容について会議出席者が選択入力したそれぞれの議事レベル（重要度）に基づいて総合議事レベルを決定し、決定した総合議事レベルに基づいて会議の要点が分かり易い議事録を作成することができる。
【０１１７】
次に、図１８〜２０を参照して、本実施の形態に係る通信会議システム１００の各装置における処理動作を説明する。図１８は、本実施の形態に係る通信会議端末装置の処理動作の一例を示すフローチャートである。
【０１１８】
通信会議端末装置１１は、議事基本情報を取得して議事録生成装置２１および多地点接続装置３１へ送信する（ステップＳ３０１）。議事基本情報は、会議出席者が通信会議端末装置１１から入力した議事基本情報から取得できる。通信会議端末装置１１は、総合議事レベル判定条件を取得して議事録生成装置２１へ送信する（ステップＳ３０２）。総合議事レベル判定条件は、会議出席者が通信会議端末装置１１から設定した総合議事レベル判定条件から取得できる。通信会議端末装置１１は、出席者名（発言者情報）を取得する（ステップＳ３０３）。出席者名（発言者情報）は、会議出席者が通信会議端末装置１１から入力した出席者名から取得できる。
【０１１９】
次に、通信会議端末装置１１は、出席者名（発言者情報）と通信会議端末装置１１とを対応付ける（ステップＳ３０４）。これにより、各通信会議端末装置１１で取得した発言データと発言者情報とが対応付けられる。次に、通信会議端末装置１１は、音声データを取得する（ステップＳ３０５）。通信会議端末装置１１は、取得した音声データを文字情報である発言データに変換する（ステップＳ３０６）。通信会議端末装置１１は、映像データを取得する（ステップＳ３０７）。
【０１２０】
次に、通信会議端末装置１１は、音声データ、発言データと発言データに対応した発言者情報、映像データを議事録生成装置２１および多地点接続装置３１に送信する（ステップＳ３０８）。次に、通信会議端末装置１１は、合成音声データを多地点接続装置３１から取得してスピーカ１５に出力する（ステップＳ３０９）。通信会議端末装置１１は、合成映像データを多地点接続装置３１から取得してディスプレイ１６に表示する（ステップＳ３１０）。
【０１２１】
次に、通信会議端末装置１１は、発言データに対応したそれぞれの議事レベルを取得して議事録生成装置２１および多地点接続装置３１に送信する（ステップＳ３１１）。議事レベルは、会議出席者が通信会議端末装置１１から選択入力したそれぞれの議事レベルから取得できる。次に、通信会議端末装置１１は、多地点接続装置３１からそれぞれの議事レベルおよび総合議事レベルを含んだ合成映像データを取得してディスプレイ１６に表示する（ステップＳ３１２）。
【０１２２】
次に、通信会議端末装置１１は、通信会議が終了したか否かを判定する（ステップＳ３１３）。通信会議が終了していない場合（ステップＳ３１３：ＮＯ）、通信会議端末装置１１は、ステップＳ３０５に戻り、処理を継続する。通信会議が終了した場合（ステップＳ３１３：ＹＥＳ）、通信会議端末装置１１は、多地点接続装置３１を介して議事録生成装置２１から議事録データを取得してディスプレイ１６に表示出力して（ステップＳ３１４）、処理を終了する。
【０１２３】
図１９は、本実施の形態に係る多地点接続装置の処理動作の一例を示すフローチャートである。
【０１２４】
多地点接続装置３１は、通信会議端末装置１１から議事基本情報を取得する（ステップＳ４０１）。多地点接続装置３１は、各通信会議端末装置１１から音声データ、発言データと発言データに対応した発言者情報、映像データを取得する（ステップＳ４０２）。次に、多地点接続装置３１は、取得した各音声データを合成処理し、合成音声データを生成する（ステップＳ４０３）。多地点接続装置３１は、議事基本情報、発言データと発言データに対応した発言者情報、映像データを合成処理し、合成映像データを生成する（ステップＳ４０４）。
【０１２５】
次に、多地点接続装置３１は、合成音声データ、合成映像データを各通信会議端末装置１１に配信する（ステップＳ４０５）。多地点接続装置３１は、通信会議端末装置１１から発言データに対応したそれぞれの議事レベルを取得する（ステップＳ４０６）。多地点接続装置３１は、議事録生成装置２１から発言データに対応した総合議事レベルを取得する（ステップＳ４０７）。次に、多地点接続装置３１は、それぞれの議事レベルおよび総合議事レベルを含んだ合成映像データを生成して各通信会議端末装置１１に配信する（ステップＳ４０８）。
【０１２６】
次に、多地点接続装置３１は、通信会議が終了したか否かを判定する（ステップＳ４０９）。通信会議が終了していない場合（ステップＳ４０９：ＮＯ）、多地点接続装置３１は、ステップＳ４０２に戻り、処理を継続する。通信会議が終了した場合（ステップＳ４０９：ＹＥＳ）、多地点接続装置３１は、議事録生成装置２１から議事録データを取得する（ステップＳ４１０）。次に、多地点接続装置３１は、議事録データを各通信会議端末装置１１に配信して（ステップＳ４１１）、処理を終了する。
【０１２７】
図２０は、本実施の形態に係る議事録生成装置の処理動作の一例を示すフローチャートである。
【０１２８】
議事録生成装置２１は、通信会議端末装置１１から議事基本情報を取得する（ステップＳ５０１）。議事録生成装置２１は、通信会議端末装置１１から総合議事レベル判定条件を取得する（ステップＳ５０２）。次に、議事録生成装置２１は、通信会議が開始されたか否かを判定する（ステップＳ５０３）。通信会議が開始されていない場合（ステップＳ５０３：ＮＯ）、議事録生成装置２１は、通信会議が開始されたか否かの判定を継続する。通信会議が開始された場合（ステップＳ５０３：ＹＥＳ）、議事録生成装置２１は、通信会議端末装置１１から発言データと発言データに対応した発言者情報を取得する（ステップＳ５０４）。
【０１２９】
次に、議事録生成装置２１は、発言データを修正するか否かを判定する（ステップＳ５０５）。発言データを修正する場合（ステップＳ５０５：ＹＥＳ）、議事録生成装置２１は、修正した発言データを取得する（ステップＳ５０６）。発言データを修正しない場合（ステップＳ５０５：ＮＯ）、議事録生成装置２１は、ステップＳ５０７に移行する。
【０１３０】
次に、議事録生成装置２１は、通信会議端末装置１１から発言データに対応したそれぞれの議事レベルを取得する（ステップＳ５０７）。議事録生成装置２１は、出席者全員の議事レベルを取得したか否かを判定する（ステップＳ５０８）。出席者全員の議事レベルを取得していない場合（ステップＳ５０８：ＮＯ）、議事録生成装置２１は、ステップＳ５０７に戻り、議事レベルの取得を継続する。出席者全員の議事レベルを取得した場合（ステップＳ５０８：ＹＥＳ）、議事録生成装置２１は、総合議事レベル判定条件を変更するか否かを判定する（ステップＳ５０９）。総合議事レベル判定条件を変更する場合（ステップＳ５０９：ＹＥＳ）、議事録生成装置２１は、変更した総合議事レベル判定条件を取得する（ステップＳ５１０）。総合議事レベル判定条件を変更しない場合（ステップＳ５０９：ＮＯ）、議事録生成装置２１は、ステップＳ５１１に移行する。
【０１３１】
次に、議事録生成装置２１は、総合議事レベル判定条件に基づき、総合議事レベルを決定する（ステップＳ５１１）。議事録生成装置２１は、決定した総合議事レベルを多地点接続装置３１に送信する（ステップＳ５１２）。次に、議事録生成装置２１は、通信会議が終了したか否かを判定する（ステップＳ５１３）。通信会議が終了していない場合（ステップＳ５１３：ＮＯ）、議事録生成装置２１は、ステップＳ５０４に戻り、発言データと発言データに対応した発言者情報の取得処理を継続する。通信会議が終了した場合（ステップＳ５１３：ＹＥＳ）、議事録生成装置２１は、各発言データの総合議事レベルに基づいて、それぞれの発言データを議事録に記載するか否かを決定する（ステップＳ５１４）。
【０１３２】
次に、議事録生成装置２１は、各発言データの総合議事レベルに応じて、それぞれの発言データを議事録に記載する様式を決定する（ステップＳ５１５）。次に、議事録生成装置２１は、議事録を生成して、生成した議事録データを記憶部６０９に記憶する（ステップＳ５１６）。その後、議事録生成装置２１は、議事録データを多地点接続装置３１を介して各通信会議端末装置１１に送信（ステップＳ５１７）して、処理を終了する。
【０１３３】
このように、上述した処理動作を、本実施の形態の通信会議システム１００を構成する通信会議端末装置１１、議事録生成装置２１および多地点接続装置３１に協働させて実行させる。これにより、本実施の形態の議事録生成装置２１は、会議出席者間で合意された内容について議事録を作成することができる。
【０１３４】
また、本実施の形態の議事録生成装置２１は、会議出席者間で合意された内容について会議出席者が選択入力したそれぞれの議事レベル（重要度）に基づいて総合議事レベルを決定し、決定した総合議事レベルに基づいて会議の要点が分かり易い議事録を作成することができる。
【０１３５】
また、本実施の形態の議事録生成装置２１は、会議出席者間で合意された内容について議事録を生成するため、議事録のデータ量が多くなることを抑止することができると共に議事録としては相応しくない内容の記載を防止することができる。
【０１３６】
また、本実施の形態の議事録生成装置２１は、会議出席者間で合意された内容について会議出席者が選択入力した議事レベル（重要度）に基づいて議事録を生成するため、合意していない内容の記載防止や重要な議決事項の記載漏れを防止することができる。
【０１３７】
以上、本発明の実施の形態を説明したが、上述の各実施の形態は、例として提示したものであり、発明の範囲を限定することは意図していない。本発明は、上述の各実施の形態そのままに限定されるものではなく、実施段階ではその要旨を逸脱しない範囲で構成要素を変形して具体化できる。また、上述の各実施の形態に開示されている複数の構成要素の適宜な組み合わせにより、種々の発明を形成できる。例えば、実施の形態に示される全構成要素から幾つかの構成要素を削除してもよい。また、以上の各実施の形態および変形例は任意に組み合わせることも可能である。
【０１３８】
なお、上述の各実施の形態の通信会議端末装置１１、議事録生成装置２１および多地点接続装置３１で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１３９】
さらに、上述の各実施の形態の通信会議端末装置１１、議事録生成装置２１および多地点接続装置３１で実行される制御プログラムを、インターネット等のネットワークに接続されたコンピュータ上に格納し、ネットワーク経由でダウンロードさせることにより提供するように構成してもよい。また、上述の各実施の形態の通信会議端末装置１１、議事録生成装置２１および多地点接続装置３１で実行される制御プログラムをインターネット等のネットワーク経由で提供または配布するように構成してもよい。
【符号の説明】
【０１４０】
１１、１１Ａ、１１Ｂ、１１Ｃ  通信会議端末装置
１２Ａ、１２Ｂ、１２Ｃ  通信会議装置
１３Ａ、１３Ｂ，１３Ｃ  マイク
１４Ａ、１４Ｂ，１４Ｃ  カメラ
１５Ａ，１５Ｂ，１５Ｃ  スピーカ
１６Ａ，１６Ｂ，１６Ｃ  ディスプレイ
２１  議事録生成装置
３１  多地点接続装置
４１  ネットワーク
１０１  ＣＰＵ
１０２  ＲＯＭ
１０３  ＲＡＭ
１０４  フラッシュメモリ
１０５  ＳＳＤ
１０６  メディア（記録メディア）
１０７  メディアドライブ
１０８  操作ボタン
１０９  バスライン
１１０  ネットワークＩ／Ｆ
１１１  音声入出力Ｉ／Ｆ
１１２  撮像素子Ｉ／Ｆ
１１３  ディスプレイＩ／Ｆ
２０１  Ａ／Ｄ変換器
２０２  音声ＣＯＤＥＣ制御部
２０３  Ｄ／Ａ変換器
２０４  映像制御部
２０５  入力制御部
２０６  通信制御部
２０７  記憶部
２０８  音声データ文字変換部
２０９  制御部
３０１  表示映像
３０２、３０３、３０４  表示領域
４０１、４０２、４０３、４０４、４１２、４１３  表示領域
４０５、４０６、４０７、４０８、４０９、４１０  行
５０１  ＣＰＵ
５０２  ＲＯＭ
５０３  ＲＡＭ
５０４  ＨＤ
５０５  ＨＤＤ
５０６  メディア（記録メディア）
５０７  メディアドライブ
５０８  ディスプレイ
５０９  ネットワークＩ／Ｆ
５１０  バスライン
５１１  キーボード
５１２  マウス
５１３  ＣＤ−ＲＯＭ
５１４  ＣＤ−ＲＯＭドライブ
６０１  発言データ取得部
６０２  発言者情報取得部
６０３  議事レベル取得部
６０４  判定条件取得部
６０５  議事基本情報取得部
６０６  総合議事レベル判定部
６０７  議事録生成部
６０８  総合議事レベル出力部
６０９  記憶部
６１０  議事録データ出力部
６１１  通信制御部
６１２  制御部
７０１〜７０６  行
８０１〜８０６  行
９０１〜９０３  行
１００１〜１００４  行
１１０１〜１１０５  議事基本情報
１１０６、１１１０  主要項目（直接議事）
１１０７  発言者情報（発言データの発言者）
１１０８、１１０９  主要項目の下位項目（詳細討議）
１２０１  通信制御部
１２０２  情報処理部
１２０３  受信制御部
１２０４  映像合成部
１２０５  音声合成部
１２０６  送信制御部
【先行技術文献】
【特許文献】
【０１４１】
【特許文献１】特開２００８−１６０６６７号公報
【図１】
2015015632.tif 000003
【図２】
2015015632.tif 000004
【図３】
2015015632.tif 000005
【図４】
2015015632.tif 000006
【図５】
2015015632.tif 000007
【図６】
2015015632.tif 000008
【図７】
2015015632.tif 000009
【図８】
2015015632.tif 000010
【図９】
2015015632.tif 000011
【図１０】
2015015632.tif 000012
【図１１】
2015015632.tif 000013
【図１２】
2015015632.tif 000014
【図１３】
2015015632.tif 000015
【図１４】
2015015632.tif 000016
【図１５】
2015015632.tif 000017
【図１６】
2015015632.tif 000018
【図１７】
2015015632.tif 000019
【図１８】
2015015632.tif 000020
【図１９】
2015015632.tif 000021
【図２０】
2015015632.tif 000022